(57)【要約】【課題】交換時のコストを低減することができ、かつ資源を有効活用して環境に配慮することが可能な照明部品、及びこの照明部品を備えた照明装置を提供すること。【解決手段】照明装置１を構成するベース部材２に取付可能な照明部品３であって、複数のＬＥＤ素子からなる光源を基板に配置してなる発光部材１１を既設のベース部材２に後付け可能に構成した。これにより、既設の照明部品をＬＥＤ素子からなる光源を有する発光部材に交換する際のコストを大幅に低減することができるとともに、資源を有効に活用して、近年重要視されている環境問題にも配慮することが可能になる。【選択図】図１
2012124011.tif 000002
【特許請求の範囲】
【請求項１】
照明装置を構成するベース部材に取付可能な照明部品であって、
複数のＬＥＤ素子からなる光源を基板に配置してなる発光部材が、既設のベース部材に後付け可能に構成されていることを特徴とする照明部品。
【請求項２】
発光部材の水平方向に対する傾きを調整可能な傾き調整手段を有する請求項１記載の照明部品。
【請求項３】
ベース部材と発光部材との間に空間部が形成されている請求項１又は２記載の照明部品。
【請求項４】
既設のベース部材に形成されている照明部品取付部に取付可能な取付部材と、
前記取付部材に取付固定され、前記ベース部材との間に所定の間隔を開けて配置される取付座と、
前記取付座に設けられたスペーサ部材と、を備え、
発光部材は、前記スペーサ部材を介して、前記取付座との間に所定の間隔を開けて配置される請求項１〜３のいずれかに記載の照明部品。
【請求項５】
請求項１〜４のいずれかに記載の照明部品を備えたことを特徴とする照明装置。
【発明の詳細な説明】
【技術分野】
【０００１】
本発明は、照明部品、及びこの照明部品を備えた照明装置に関する。
【背景技術】
【０００２】
マンションやアパート等のような集合住宅の共用廊下には、各住戸の玄関前などの天井に照明装置が設置されている。この照明装置は、共用廊下の天井に固定されるベース部材と、ベース部材に取り付ける取付座及び光源を有する照明部品と、照明部品をカバーするカバー部材とから構成されている。従来の照明装置は、光源として蛍光灯を用いているものが多い。例えば、特許文献１では、蛍光灯を光源にした照明器具と、この照明器具を使用した集合住宅に関して記載されており、また、特許文献２では、集合住宅の共用廊下に取り付け可能な照明器具であって、蛍光灯を光源に用いているものが開示されている。
【先行技術文献】
【特許文献】
【０００３】
【特許文献１】特開平７−３０２５０９号公報
【特許文献２】実開昭５８−１１３２０９号公報
【発明の概要】
【発明が解決しようとする課題】
【０００４】
近年は、発光ダイオード（ＬＥＤ：Ｌｉｇｈｔ  Ｅｍｉｔｔｉｎｇ  Ｄｉｏｄｅ）素子を光源として用いた照明部品（以下、ＬＥＤ照明という。）が普及し始めている。ＬＥＤ照明は、複数のＬＥＤ素子を基板上に配置させた照明部品である。ＬＥＤ照明は、蛍光灯に比べて消費電力が少なく長寿命であるという特徴を有しており、蛍光灯に変わる光源として注目を集めている。特に、マンション等の集合住宅では、複数の照明装置を共用廊下等に設置することから、上記した特徴を有するＬＥＤ照明を使用するニーズが増加している。近年では、ＬＥＤ照明を用いた照明装置を新築の集合住宅に予め設置するだけでなく、既に蛍光灯を用いた照明装置が設置されている集合住宅でもＬＥＤ照明を用いた照明装置に交換するケースが増加している。
【０００５】
しかし、従来の照明装置は、照明部品及びカバー部材をベース部材に組み付けたユニット品として構成されており、ＬＥＤ照明を有する照明装置に交換する場合は、ユニット単位で交換しなければならなかった。そのため、照明装置を交換する場合には、古い照明装置を全て天井から取り外し、この取り外したスペースに、ＬＥＤ照明を有する照明装置を取り付けなければならず、照明装置を交換する際のコストが高くなってしまうという問題があった。この問題は、特に複数の照明装置が設置されている集合住宅においては大きな問題となっていた。
【０００６】
また、近年は、環境問題が重要視されており、再利用可能な部品はそのまま利用することが資源を有効に活用する観点からも好ましい。しかし、従来の照明装置は再利用可能な部品も含めてユニット単位で交換し、全て廃棄していたので、資源を有効に活用して環境に配慮したものであるとは言い難かった。
【０００７】
本発明は、このような問題に鑑みてなされたもので、交換時のコストを低減することができ、かつ資源を有効活用して環境に配慮することが可能な照明部品、及びこの照明部品を備えた照明装置を提供することを目的とする。
【課題を解決するための手段】
【０００８】
本発明に係る照明部品は、
（１）照明装置を構成するベース部材に取り付けられる照明部品であって、複数のＬＥＤ素子からなる光源を基板に配置してなる発光部材が、既設のベース部材に後付け可能に構成されていることを特徴とする照明部品、
（２）発光部材の水平方向に対する傾きを調整可能な傾き調整手段を有する上記（１）記載の照明部品、
（３）ベース部材と発光部材との間に空間部が形成されている上記（１）又は（２）記載の照明部品、
（４）既設のベース部材に形成されている照明部品取付部に取付可能な取付部材と、前記取付部材に取付固定され、前記ベース部材との間に所定の間隔を開けて配置される取付座と、前記取付座に設けられたスペーサ部材と、を備え、発光部材は、前記スペーサ部材を介して、前記取付座との間に所定の間隔を開けて配置される上記（１）〜（３）のいずれかに記載の照明部品、
を要旨とする。
【０００９】
また、本発明に係る照明装置は、
（５）上記（１）〜（４）のいずれかに記載の照明部品を備えたことを特徴とする。
【発明の効果】
【００１０】
本発明に係る照明部品は、発光部材が既設のベース部材に後付け可能に構成されているので、既設の照明部品をＬＥＤ素子からなる光源を有する発光部材に交換する際のコストを大幅に低減することが可能になる。また、本発明に係る照明部品は、照明部品のみを交換可能にすることで、資源を有効に活用することができ、近年重要視されている環境問題にも配慮することが可能になる。
また、本発明に係る照明部品は、発光部材の水平方向に対する傾きを調整可能な傾き調整手段を有することで、明るく照らす場所を任意に調整することが可能になる。したがって、本発明に係る照明部品は、指向性の強い光が光源から発せられた場合でも、適切な場所を照らして明るくすることが可能になる。
また、本発明に係る照明部品は、ベース部材と発光部材との間に空間部が形成されるので、ベース部材の形状の影響を受けることがない。そのため、照明装置の製造者や製造時期の違いによってベース部材の形状が変更された場合であっても、照明部品を容易にベース部材へ取り付けることができ、照明部品に汎用性を持たせることが可能になる。
また、本発明に係る照明部品は、取付部材がベース部材の照明部品取付部に取り付けられ、この取付部材に取付座が設けられ、さらにこの取付座に対してスペーサ部材を介して発光部材が取付固定されるので、ベース部材の仕様の相違によって照明部品取付部の位置や数等が異なることによる影響を取付座で吸収することができる。そのため、発光部材の大きさや形状、さらにはスペーサ部材の取付位置などを共通化することができ、照明部品の製造時における製造コストを大幅に低減することが可能になる。
【図面の簡単な説明】
【００１１】
【図１】本発明に係る実施の形態の照明装置の構成を表した分解斜視図である。
【図２】本発明に係る実施の形態の照明部品の構成を表した分解斜視図である。
【図３】照明部品をベース部材に取り付けた時の断面図である。
【図４】本実施の別の形態の照明部品の構成を表した分解斜視図である。
【発明を実施するための形態】
【００１２】
本発明に係る照明部品、及びこの照明部品を備えた照明装置の具体的な構成を図１〜図３に基づいて説明する。図１は、本発明に係る実施の形態の照明装置の構成を表した分解斜視図、図２は、本発明に係る実施の形態の照明部品の構成を表した分解斜視図、図３は、照明部品をベース部材に取り付けた時の断面図である。なお、本明細書において上下方向とは、照明装置を図１に示すように見た場合における上方向及び下方向を示すものとする。また、本明細書においては、マンション等の集合住宅において、共用廊下等の天井に取り付けられる照明装置、及び照明部品を例にして説明するが、これに限定されるものではない。また、図１の符号Ｃは、共用廊下の天井を表す。
【００１３】
（照明装置１の構成について）
図１及び図２に示すように、本実施の形態の照明装置１は、ベース部材２、照明部品３及びカバー部材４から構成されており、ベース部材２の内部に照明部品３が取付固定されるとともに、ベース部材２に対してカバー部材４が着脱自在に取り付けられている。
【００１４】
ベース部材２は、共用廊下の天井Ｃに取付固定するためのものである。このベース部材２は、従来公知のものを任意に使用することができ、材質や形状は特に限定されるものではない。ベース部材２には収納部５が形成されている。収納部５は、照明部品３の少なくとも一部が収納できるように形成されており、ベース部材２の天井面２ａには、照明部品取付部６と、線状に形成された突条部７とが形成されている。また、天井面２ａの中央には、照明部品３の配線を取り出すための取出口８が設けられている。照明部品取付部６は、天井面２ａから下方に向けて形成された突起状の部材で、２ヶ所に形成されている。これら照明部品取付部６は、中央にネジ孔が開口形成されている。なお、この照明部品取付部６は、ベース部材２と一体成形させてもよいし、ベース部材２とは別に形成したものを後付けしてもよい。
【００１５】
本実施の形態におけるベース部材２は、既設の照明装置に使用していたものを任意に使用することができ、形状や大きさが限定されるものではない。また、本実施の形態では、天井面２ａは平面状であって、下方に向けて線状の突条部７が形成されているが、この突条部７が形成されていなくてもよい。さらに、天井面２ａは平面状でなくてもよく、例えば段差が形成されているものであってもよい。また、本実施の形態におけるベース部材２は、２ヶ所に設けられた突起状の照明部品取付部６を形成しているが、照明部品３が取付可能な構成であればよく、その形状や構造は任意に決定してもよい。
【００１６】
カバー部材４は、ベース部材２に取付固定された照明部品３をカバーするためのもので、ベース部材２の下側に取付固定されている。カバー部材４は、既設のベース部材２に取付固定が可能であればよく、従来公知のものを任意に使用することができ、本実施の形態では、上部に形成されたカバーネジ部４ａをベース部材２に形成されたカバー取付部２ｂに螺合させることで、カバー部材４がベース部材２に取り付けられるようになっている。なお、資源を有効に活用して環境に配慮する観点から、カバー部材４はベース部材２と同様に再利用することが好ましい。
【００１７】
（照明部品３の構成について）
図１〜図３に示すように、照明部品３は、発光部材１１、スペーサ部材１２、取付座１３、取付部材１４及び傾き調整手段としての傾き調整部材１５から構成されており、天井Ｃに既設のベース部材２に対して後付けをすることができるようになっている。
【００１８】
発光部材１１は、ＬＥＤを光源としたＬＥＤ照明であり、複数のＬＥＤ１１ａを基板１１ｂ上に整列配置して構成されている。基板１１ｂには、各ＬＥＤ１１ａとの嵌合が可能な大きさの図示しない嵌合部が形成されており、ＬＥＤ１１ａは、この嵌合部に嵌合されて基板１１ｂ上に整列配置されるようになっている。基板１１ｂの裏側には、図示しないトランス等が配置されるとともに、図示しない電源ケーブルが接続されている。また、基板１１ｂには、スペーサ部材１２の一端が挿通可能な大きさの貫通孔１６が開口形成されている。この貫通孔１６は、１２０度間隔で３箇所に形成されている。発光部材１１は、貫通孔１６にスペーサ部材１２の一端を挿通させた後にナット等の締結部材１７で締結することによって、スペーサ部材１２が取付固定されるようになる。
【００１９】
スペーサ部材１２は、発光部材１１と取付座１３との間に所定の空間部を形成するためのもので、一端部１２ａと他端部１２ｂにネジ山が形成された棒状の部材により形成されている。一端部１２ａと他端部１２ｂに挟まれた中央部１２ｃは、外径がこれら一端部１２ａ及び他端部１２ｂの外径よりも太くなるように形成されており、一端部１２ａと中央部１２ｃとの境、及び他端部１２ｂと中央部１２ｃとの境には段差が形成されている。一端部１２ａと中央部１２ｃとの境に形成された段差は、発光部材１１の位置決めに使用するためのもので、他端部１２ｂと中央部１２ｃとの境に形成された段差は、取付座１３の位置決めに使用するためのものである。
【００２０】
取付座１３は、各種の孔が開口形成された円板状の部材である。この取付座１３には、ベース部材２に取り付けるための取付部材１４が挿通可能な大きさに開口形成された取付部材挿通孔１８が２ヶ所に開口形成されるとともに、スペーサ部材１２の他端部１２ｂが挿通可能なスペーサ部材挿通孔１９が１２０度間隔で３箇所に形成されている。また、取付座１３には、発光部材１１の水平位置を調整可能な位置調整手段としての傾き調整部材１５が挿通可能な大きさの位置調整孔２０が１２０度間隔で３箇所に開口形成されている。なお、取付座１３の中央に開口形成している孔は、発光部材１１に接続されている配線を取り出すための取出孔である。
【００２１】
取付部材挿通孔１８は２ヶ所に開口形成されており、それぞれの孔が取出孔を挟んで対向するように配置されている。また、取付部材挿通孔１８は、左側の孔が左右方向に延びる長孔状に形成され、右側の孔が周方向に延びる長孔状に形成されている。これは、ベース部材２の照明部品取付部６がどのような位置に形成されていても取付座１３を取り付けることができるようにするためである。
【００２２】
スペーサ部材挿通孔１９は、スペーサ部材１２の他端部１２ｂが挿通可能な大きさに開口形成されたストレート孔であり、本実施の形態では、１２０度間隔で３箇所に形成されている。スペーサ部材挿通孔１９には、取付座１３の下方側から、スペーサ部材１２の他端部１２ｂと中央部１２ｃとの境に形成された段差が取付座１３の下面と当接する位置まで挿通され、取付座１３の上方からナット等の締結部材１２ｄ（図３参照）で取付固定されるようになっている。なお、スペーサ部材挿通孔１９は、スペーサ部材１２の他端部１２ｂと螺合することが可能なネジ孔であってもよい。
【００２３】
位置調整孔２０は、傾き調整部材１５が挿通可能な大きさに開口形成されたストレート孔である。この位置調整孔２０は、１２０度間隔で３箇所に形成されている。なお、位置調整孔２０は、傾き調整部材１５と螺合することが可能なネジ孔であってもよい。
【００２４】
取付部材１４は、一端部１４ａが取付部材挿通孔１８に挿通され、他端部１４ｂがベース部材２に形成された照明部品取付部６に挿入固定されるように形成されたネジ部材である。本実施の形態では、２本の取付部材１４が用いられており、それぞれの一端部１４ａが取付座１３の取付部材挿通孔１８に挿通され、ナット部材１４ｃにより固定され、それぞれの他端部１４ｂが照明部品取付部６に挿入固定されるようになっている。このように、ベース部材２と取付座１３の間に取付部材１４を設けることにより、これらベース部材２と取付座１３との間には空間部２２（図３参照）が形成される。空間部２２は、照明部品３がベース部材２の天井面２ａの形状の違いによる影響を受けないようにするために形成されたもので、本実施の形態においては、取付座１３がベース部材２に形成されている突条部７と干渉しない位置になるように形成されている。なお、この空間部２２の大きさ及び形状は本実施の形態におけるものに限定されるものではなく、ベース部材２の突条部７と取付座１３とが干渉することを防止できれば、どのようなものでもよい。また、ベース部材２の天井面２ａに段差が形成されている場合には、取付座１３がこの段差による影響を受けないような位置になる程度の空間部２２が形成されればよい。
【００２５】
傾き調整部材１５は、発光部材１１の水平方向に対する傾きを調整するためのもので、取付座１３に対して３箇所に設けられたネジ部材１５ａと、このネジ部材１５ａに螺合されたナット部材１５ｂとからなる。ネジ部材１５ａは、取付部材１４を介してベース部材２に取り付けられた取付座１３へ取り付けられた場合に、少なくとも先端がベース部材２の下面と当接可能な長さを有している。このネジ部材１５ａは、取付座１３の下方から位置調整孔２０を挿通し、さらに先端からナット部材１５ｂが螺合されて、取付座１３に取付固定されている。このネジ部材１５ａは、通常は先端がベース部材２の天井面２ａと当接しており、ナット部材１５ｂを空間部２１内で上下方向へ移動させることによって、取付座１３の傾きを任意に調整することができるようになっている。なお、本実施の形態では、取付座１３の位置調整孔２０をストレート孔としているので、傾き調整部材１５をネジ部材１５ａとナット部材１５ｂとから構成しているが、位置調整孔２０をネジ孔として、ネジ部材１５ａのみで構成してもよい。この場合には、ネジ部材１５ａは、ベース部材２の下面から取付座１３までの距離よりも長いものを使用することが好ましい。
【００２６】
このように構成された照明部品３は、ベース部材２に対して後付けすることが可能である。例えば、マンションの共用廊下等に既設の照明装置から古い照明部品及びカバー部材４を取り外してベース部材２を天井に残しておき、このベース部材２に本実施の形態の照明部品３を取り付け、さらにカバー部材４を取り付けることで、再利用が可能なベース部材２及びカバー部材４を残しつつ、照明部品３のみを交換することが可能になる。
【００２７】
以下において、照明部品３を交換する手順について説明する。まず、照明部品を交換する照明装置からカバー部材４を取り外し、その後、古い照明部品（例えば、蛍光灯を用いたもの）をベース部材２から取り外す。照明装置１は、古い照明部品を取り外すことにより、ベース部材２のみが設置された状態になる。
【００２８】
次に、ベース部材２の２ヶ所に形成されている照明部品取付部６に取付部材１４を取付固定する。本実施の形態では、照明部品取付部６はネジ孔であり、取付部材１４はネジ部材で構成されているので、取付部材１４は、照明部品取付部６に螺合することで固定される。
【００２９】
次に、取付座１３を準備し、この取付座１３の３箇所に形成された各位置調整孔２０にネジ部材１５ａを挿通させる。さらに、このネジ部材１５ａの先端からナット部材１５ｂを螺合させて、取付座１３の位置調整孔２０にネジ部材を仮止めする。このときのネジ部材１５ａは、取付座１３に対して固定されていてもよいし、遊嵌していてもよい。
【００３０】
次に、取付部材１４を介して取付座１３をベース部材２に取り付ける。この場合には、ベース部材２に形成された取付部材挿通孔１８に取付部材１４の一端を挿通させる。このとき、ベース部材２によっては照明部品取付部６の位置が異なる場合がある。この場合は、２本の取付部材１４が各取付部材挿通孔１８内に挿通するように長孔内で取付部材１４を移動させながら調整する。このようにして取付部材１４を取付部材挿通孔１８内に挿通した後、さらにナット部材を取付部材１４と螺合させる。
【００３１】
次に、各位置調整孔２０に仮止めされたネジ部材１５ａの先端をベース部材２の下面に当接させながら、取付座１３に近づく方向へナット部材１５ｂを移動させる。そして、３つのナット部材１５ｂを取付座１３と当接させた後に、ナット部材１５ｂを任意の方向に回転移動させながら、取付座１３の位置が水平になるように調整する。これにより、ベース部材２に対して取付座１３が取付固定され、ベース部材２と取付座１３との間に空間部２２が形成される。この空間部２２を形成することにより、ベース部材２に形成されている突条部７と取付座１３とが互いに干渉し合うことを防止することが可能になる。
【００３２】
次に、取付座１３にスペーサ部材１２を取付固定する。この場合は、スペーサ部材１２の他端部１２ｂを取付座１３の下面側からスペーサ部材挿通孔１９に挿通させる。スペーサ部材１２は、他端部１２ｂと中央部１２ｃとの境に形成された段差
が取付座１３と当接するまで挿通させ、他端部１２ｂの先端から締結部材１２ｄを螺合させてネジ止めされる。
【００３３】
次に、発光部材１１に形成されている貫通孔１６内にスペーサ部材１２の一端部１２ａを挿通させ、発光部材１１をスペーサ部材１２に取付固定する。発光部材１１は、スペーサ部材１２の一端部１２ａと中央部１２ｃとの境に形成された段差に発光部材１１が当接するまでスペーサ部材１２を挿通させ、一端部１２ａの先端から締結部材１７を螺合させてネジ止めする。これにより、発光部材１１がベース部材２に取付固定される。このとき、発光部材１１とベース部材２との間には空間２３が形成されている。この空間２３が形成されることにより、上記したベース部材２の突条部７との干渉のみならず、取付座１３に取付部材１４等を固定する際に用いた各種ナット部材１４ｃ等との干渉をも防止することが可能になる。また、このようにしてベース部材２に取付固定されたベース部材２は、取付座１３が水平に位置するように取り付けられており、さらにスペーサ部材１２が全て同じ形状に形成されていることから、水平に位置するように設置される。次に、発光部材１１の図示しない配線等の接続を行い、カバー部材４をベース部材２に取付固定して、本実施の形態の照明部品３を後付けした照明装置１が組み上がる。
【００３４】
このように、本実施の形態の照明部品３は、既設のベース部材２に後付けをすることができる。そのため、既設の照明装置１に使用されている部材のうち、ベース部材２及びカバー部材４は再利用しつつ、照明部品３のみを交換することで、高輝度かつ低電力のＬＥＤ照明に交換することができる。したがって、本実施の形態の照明部品３によれば、資源を有効に活用することができ、近年重要視されている環境問題にも配慮することが可能になる。また、本実施の形態の照明部品３は、傾き調整部材１５を有しているので、指向性の高いＬＥＤ照明を用いた場合にも、発光部材３の水平方向に対する角度を調整することで、適切な場所をより明るく照らすことができる。
【００３５】
また、本実施の形態の照明部品３は、ベース部材２と発光部材１１との間に空間部２２が形成されるとともに、ベース部材２と取付座１３との間にも空間２３が形成されているので、ベース部材２がどのような形状をしていたとしても、この形状により照明部品３が受ける影響を吸収することができる。そのため、本実施の形態の照明部品３によれば、ベース部材２の形状に影響されることなく取付固定することができ、照明部品３に汎用性を持たせることが可能になる。また、本実施の形態の照明部品３は、空間２３を形成することで、配線の取り回しをしやすくすることができる。従って、本実施の形態の照明部品３によれば、該照明部品３を既設のベース部材２に後付けする際の作業性を向上させることが可能になる。
【００３６】
また、本実施の形態の照明部品は、取付部材１４がベース部材２の照明部品取付部６に取り付けられ、この取付部材１４に取付座１３が設けられ、さらにこの取付座１３に対してスペーサ部材１２を介して発光部材１１が取付固定されるので、ベース部材２の仕様の相違によって照明部品取付部６の位置や数等が異なることによる影響を取付座１３で吸収することができる。そのため、発光部材１１及びスペーサ部材１２を汎用品として用いることができ、照明部品３の製造コストを大幅に低減することが可能になる。また、本実施の形態の照明部品は、ＬＥＤを光源にした発光部材を使用しているから、ベース部材２の仕様の相違によって発光部材の高さ方向の位置が変化した場合でも、光の照射範囲を変化させることなく、所定の照度で明るく照らすことが可能になる。
【００３７】
次に、本実施の別の形態の照明部品について、図４に基づいて説明する。なお、本実施の別の形態については、既に説明したものと同様の箇所については説明を省略し、符号も同一のものを使用する。本形態の照明部品は、スペーサ部材が基板１１ｂの高さ方向における取付位置を調節することが可能な調節機構を有することを特徴とするものである。
【００３８】
図４に示すように、本形態の照明部品３１のスペーサ部材３２は、一端部３２ａと他端部３２ｂにネジ山が形成された棒状の部材により形成されている。一端部３２ａと他端部３２ｂとの間に形成された中央部３２ｃは、外径がこれら一端部３２ａ及び他端部３２ｂの外径よりも太くなるように形成されており、一端部３２ａと中央部３２ｃとの境、及び他端部３２ｂと中央部３２ｃとの境に段差が形成されている。一端部１２ａと中央部１２ｃとの境に形成された段差は、発光部材１１の位置決めに使用するためのものである。また、本形態のスペーサ部材３２は、一端部３２ａの長さが他端部３２ｂ及び中央部３２ｃのいずれの長さよりも長くなるように形成されている。また、発光部材１１は、基板１１ｂが、該基板１１ｂに対して上側に設けられたナット部材３３と、基板１１ｂに対して下側に設けられた締結部材１７により取付固定されるようになっている。なお、スペーサ部材３２は、一端部３２ａ、他端部３２ｂ及び中央部３２ｃを一体成形してもよいし、別部材により形成してもよい。例えば、一端部３２ａと他端部３２ｂを構成するネジ部材にスペーサを挿通して、このスペーサを中央部３２ｃとして機能させるように構成してもよいし、また一端部３２ａを構成するネジ部材と他端部３２ｂを構成するネジ部材のそれぞれを、中央部３２ｃを構成するスペーサに螺合させる等することによりスペーサ部材３２を構成してもよい。また、これら以外の方法によりスペーサ部材３２を構成してもよい。
【００３９】
次に、スペーサ部材３２に発光部材１１を取り付ける方法を説明する。なお、この説明においては、ベース部材２に取付座１３を取り付けるまでの方法は先に説明したものと同様であるから、ここまでの方法の説明は省略する。
【００４０】
まず、ベース部材２に取り付けられた取付座１３にスペーサ部材３２を取付固定する。この場合は、スペーサ部材３２の他端部３２ｂを取付座の下面側からスペーサ部材挿通孔１９に挿通させる。スペーサ部材３２は、他端部３２ｂと中央部３２ｃとの境に形成された段差が取付座１３と当接するまで挿通させ、他端部３２ｂの先端から締結部材１２ｄを螺合させてネジ止めされる。
【００４１】
次に、スペーサ部材３２の一端部３２ａの先端からナット部材３３を螺合させる。このナット部材３３は、後に取り付けられる発光部材１１の基板１１ｂの高さ位置を調節するとともに、該基板１１ｂを取付固定するためのものである。次に、発光部材１１に形成されている貫通孔１６内にスペーサ部材３２の一端部３２ａを挿通させ、発光部材１１をスペーサ部材３２に取付固定する。発光部材１１は、一端部３２ａに対して先に螺合させたナット部材３３と基板１１ｂの上面とが当接するまでスペーサ部材３２を挿通させ、一端部３２ａの先端から締結部材１７を螺合させてネジ止めする。このとき、ナット部材３３によって基板１１ｂが取り付けられる高さ方向の位置が予め決定されており、基板１１ｂの上面とこのナット部材３３の下面とを当接させながら締結部材１７でネジ止めすることで、基板１１ｂの高さ方向における取付位置が決められる。そして、カバー部材４をベース部材２に取付固定して、発光部材１１がスペーサ部材に取り付けられる。
【００４２】
次に、発光部材１１の高さ方向における位置を調節する方法について説明する。上記した通り、発光部材１１は、基板１１ｂの上側にナット部材３３が位置し、基板１１ｂの下側に締結部材１７が位置することで取付固定されている。ここで、発光部材１１の高さ方向の位置を上方向に調節する場合は、まず基板１１ｂの上側に位置するナット部材３３を緩めて、このナット部材３３を所定の位置まで上方向に移動させる。次に、移動させたナット部材３３と当接するまで、発光部材１１を上方向に移動させ、その後に締結部材１７により発光部材１１をネジ止めする。また、発光部材１１の高さ方向の位置を下方向に調節する場合は、まず基板１１ｂの下側に位置する締結部材１７を緩めて、締結部材１７を所定の位置まで下方向に移動させる。次に、移動させた締結部材１７と当接するまで発光部材１１を下方向に移動させ、その後にナット部材３３により発光部材１１をネジ止めする。
【００４３】
このように、発光部材１１の高さ方向の位置を任意に調節させることによって、発光部材１１とカバー部材４との距離を任意に調節することができる。そのため、ベース部材２の形状の違いによって発生する発光部材１１の高さ方向の位置の相違を調整し、所定の高さに維持することができる。また、本形態の照明部品は、発光部材１１の高さ方向の位置を任意に調整することで、空間２３をも調整することが可能になる。したがって、既設のベース部材２が取付座１３よりも外側の位置に突起等が形成されたような形状であったとしても、その形状により発光部材１１が受ける影響を吸収することができる。そのため、本形態の照明部品３１によれば、ベース部材２の形状による影響をより受けにくくすることができ、照明部品３１の汎用性をより向上させることが可能になる。また、本形態の照明部品３１は、ナット部材３３の位置を変更することで発光部材１１の水平方向に対する傾き角を調整することができる。そのため、発光部材の水平方向に対する角度をより大きな範囲で調整することが可能になる。
【００４４】
なお、本実施の形態では、ベース部材２に発光部材１１を取付固定する際に取付座１３を介しているが、取付座１３を介さずに、発光部材１１をベース部材２に取付固定してもよい。この場合には、ベース部材２と発光部材１１との間に形成される空間により、ベース部材２の形状による影響を吸収できるようにすればよい。
【００４５】
また、本実施の形態では、ベース部材２と取付座１３とを２点で固定し、取付座１３と発光部材１１を３点で固定するようにしているが、取付座１３又は発光部材１１が取付固定されていれば、何点で固定してもよい。また、本実施の形態では、傾き調整部材及びスペーサ部材が１２０°間隔で設けられているが、この間隔も１２０°に限定されるものではない。
【実施例】
【００４６】
（実施例１）
［照度の測定］
本実施例では、豊田合成株式会社製のＬＥＤを放射状に１６０個配置した発光部材（直径２０ｃｍ）を有する照明装置を準備した。また、カバー部材の垂直方向下方に照度計（竹村電機社製  ＤＸ−２００）を設置した。このときのカバー部材と照度計との間隔は２．３ｍとした。次に、発光部材とカバー部材の内周面との間の距離が２ｃｍとなるように、発光部材をセットした後に発光部材を点灯させて、照度（ルクス）を測定した。そして、測定した照度が、蛍光灯照明での照度に対してどの程度であるかを求め、蛍光灯照明の照度と同等の照度が得られた場合には○、蛍光灯照明の照度よりも大きな値の照度が得られた場合には◎、蛍光灯照明の照度よりも小さい値の照度しか得られなかった場合には×と判定した。判定結果を表１に示す。
【００４７】
［照射範囲の測定］
次に、該照度計の測定値が、先の照度の測定で得られた測定値の半分になる位置まで照度計を水平方向に移動させ、照度の測定を行なった位置から該照度計の測定値が半分になった位置までの距離を求めた。そして、この距離が、蛍光灯照明を用いた場合と同程度の距離だった場合には○、蛍光灯照明よりも距離が長かった場合には◎、蛍光灯照明より距離が短かった場合には×と判定した。判定結果を表１に示す。
［消費電力の測定］
【００４８】
次に、発光部材へ接続する配線の間に電流計（共立電気計器株式会社製  ＫＥＷ  ＳＮＡＰ  ２０３１）を接続し、電流値を測定した。そして、この測定した電流値に電圧を乗じて得た値を消費電力とした。消費電力を表１に示す。
【００４９】
（実施例２）
実施例２では、発光部材とカバー部材の内周面との間の距離を４ｃｍにした以外は、実施例１と同様の照明装置を用いて、同様の方法で照度の測定、照射範囲の測定、及び消費電力の測定を行なった。本実施例における照度の測定における判定結果、照射範囲の測定における判定結果、及び消費電力を表１に示す。
【００５０】
（実施例３）
実施例３では、発光部材とカバー部材の内周面との間の距離を６ｃｍにした以外は、実施例１と同様の照明装置を用いて、同様の方法で照度の測定、照射範囲の測定、及び消費電力の測定を行なった。本実施例における照度の測定における判定結果、照射範囲の測定における判定結果、及び消費電力を表１に示す。
【００５１】
（比較例１）
比較例１では、パナソニック電工株式会社製の蛍光灯を使用した発光部材を有する照明装置（パナソニック電工株式会社製  ＨＷ８９４２ＫＣＥＬ）を準備し、発光部材へ接続する配線の間に電流計（共立電気計器株式会社製  ＫＥＷ  ＳＮＡＰ  ２０３１）を接続し、電流値を測定した。そして、この測定した電流値に電圧を乗じて得た値を消費電力とした。消費電力を表１に示す。
【００５２】
この結果、実施例１〜３におけるＬＥＤ照明を備えた照明装置は、蛍光灯照明を備えた照明装置と同等の照射範囲を照らすことが可能であることが分かり、さらにこの照射範囲における照度は蛍光灯照明を備えた照明装置よりも大きな値であることが分かった。また、実施例１〜３におけるＬＥＤ照明を備えた照明装置は、蛍光灯照明を備えた照明装置よりも消費電力を低くなることも分かった。
【００５３】
すなわち、ＬＥＤ照明を備えた照明装置は、蛍光灯照明を備えた照明装置と対比して、消費電力を低く抑えてＣＯ２の削減に寄与することができ、近年重要視されている環境問題により適合しつつ、さらに蛍光灯照明を備えた照明装置に比べて、より明るく照らすことが可能になる。また、ＬＥＤ照明を備えた照明装置は、発光部材とカバー部材の内周面との間の距離を調整しても照射範囲を略一定に保つことができるので、発光部材をベース部材に後付けする際に発光部材の位置が変化した場合であっても、照射範囲に影響を及ぼさず、蛍光灯照明を備えた照明装置と略同一の一定の範囲を明るく照らすことが可能になる。
【００５４】
【表１】
2012124011.tif 000003
【符号の説明】
【００５５】
１  照明装置
２  ベース部材
３，３１  照明部品
４  カバー部材
１１  発光部材
１２，３２  スペーサ部材
１３  取付座
１４  取付部材
１５  位置調整部材
１６  貫通孔
１７  取付部材挿通孔
１８  スペーサ部材挿通孔
１９  位置調整孔
【図１】
2012124011.tif 000004
【図２】
2012124011.tif 000005
【図３】
2012124011.tif 000006
【図４】
2012124011.tif 000007